(57)【特許請求の範囲】
【請求項１】
洗浄槽の前方に扉材を有するビルトイン型の引き出し式食器洗浄機であって、
洗浄槽は、その前面の左右側縁から前方に向けて伸びる一対の扉材取付部を備えており、
扉材の背面には、一対の扉材取付部に対応して一対の取付金具が固定されており、
取付金具は、扉材取付部を左右両側から挟み込む、外側挟持片と内側挟持片を備えており、
外側挟持片には孔が形成されており、
内側挟持片には、外側挟持片の孔に対応する位置にねじ孔が形成されており、
扉材取付部には、外側挟持片の孔に対応する位置に前後方向に長い長孔が形成されており、
ねじを外側挟持片の孔から扉材取付部の長孔を貫通して内側挟持片のねじ孔にねじ込むことで、取付金具が洗浄槽に対して固定されている食器洗浄機。
【請求項２】
取付金具の外側挟持片が係合爪を有しており、
扉材取付部が係合爪と係合する係合孔を有しており、
一対の取付金具の係合爪を、対応する一対の扉材取付部の係合孔に係合させることで、扉材が洗浄槽に対して仮止めすることができる、請求項１の食器洗浄機。
【請求項３】
取付金具が、主金具と補助金具から構成されており、
主金具が、外側挟持片と、外側挟持片に対して略垂直に伸びる扉側取付片を備えており、
補助金具が、内側挟持片と、内側挟持片に対して略垂直に伸びる扉側取付片を備えており、
主金具の扉側取付片には、スリット状の貫通孔が形成されており、
補助金具の内側挟持片が主金具の扉側取付片の貫通孔を貫通し、かつ、扉材と主金具の扉側取付片の間に補助金具の扉側取付片を挟み込んだ状態で、主金具と補助金具が扉材に対してねじ止めされている、請求項１または２の食器洗浄機。
【請求項４】
主金具の扉側取付片の扉材に対向する面に凹部が形成されており、当該凹部に補助金具の扉側取付片が収容される、請求項３の食器洗浄機。
【発明の詳細な説明】
【技術分野】
【０００１】
本発明は、食器洗浄機に関する。特に、システムキッチンにおいてキッチンカウンタ下にビルトインされる引き出し式食器洗浄機に関する。
【背景技術】
【０００２】
ビルトイン型の食器洗浄機は、図１に示すように、多くはシステムキッチンを構成するキッチンカウンタＫの下にビルトインされる。キッチンカウンタＫの下には引き出し式の収納部Ｌや開き戸式の収納部Ｍなどが設けられており、オーブンレンジＮや食器洗浄機１がビルトインされるのが一般的な設置形態である。このようなシステムキッチンでは、キッチンカウンタＫの下に配置される収納部Ｌ、Ｍなどの表面材は、その素材や色調、図柄が統一され、表面位置が同一平面上になるようにした美麗な外観に仕上げられている。これに合わせて、オーブンレンジＮや食器洗浄機１の表面も同一の色調、図柄に形成され、その表面が収納部Ｌ、Ｍなどと同一位置になるようにして統一感が得られるようにしている。
【０００３】
食器洗浄機１の表面について言えば、洗浄槽３の前方に取り付けられる扉２の操作パネル５の下の表面に、周囲の収納部Ｌ、Ｍの面材と同一の面材６を用いるものが知られている。また、周囲の収納部Ｌ、Ｍと同一の面材６を用いる代わりに、類似した素材感、色調、図柄の化粧板を表面に有する化粧パネルを用いるものも知られている。本明細書では、上記のように食器洗浄機１の扉２に用いられる面材及び化粧パネルを総称して扉材という。特許文献１−４に、食器洗浄機１の扉２に上記のような扉材を用いる技術が開示されている。
【先行技術文献】
【特許文献】
【０００４】
【特許文献１】特開平１１−６２４１０号公報
【特許文献２】特開２００５−２５３８２４号公報
【特許文献３】特開平８−４７４７２号公報
【特許文献４】特開２００３−２４５２３６号公報
【発明の概要】
【発明が解決しようとする課題】
【０００５】
食器洗浄機１の扉２を閉じた状態（図１の（ｂ）の状態）において、扉材の縦横のラインが周囲の収納部Ｌ、Ｍのラインと揃っていなかったり、扉材の表面の奥行きが周囲の収納部Ｌ、Ｍの表面の奥行きとずれていたりすると、システムキッチンとしての統一感が崩れ、美観を損なってしまう。従って、キッチンカウンタＫの下に食器洗浄機１を据え付ける際には、周囲の収納部Ｌ、Ｍとの現物合わせによって、洗浄槽３に対する扉材の取付位置を微調整できることが望ましい。特許文献１−４の技術では、扉材の上下方向の取付位置や左右方向の取付位置を調整することができる。しかしながら、扉材の奥行き方向の取付位置については、食器洗浄機１の据え付け作業の際に、周囲の収納部Ｌ、Ｍとの現物合わせで調整することが困難であった。食器洗浄機１をキッチンカウンタＫの下に据え付ける際に、洗浄槽に対する扉材の奥行き方向の取付位置を容易に調整可能な技術が期待されている。
【０００６】
本発明は上記課題を解決する。本発明では、ビルトイン型の引き出し式食器洗浄機をキッチンカウンタ下に据え付ける際に、洗浄槽に対する扉材の奥行き方向の取付位置を容易に調整することが可能な技術を提供する。
【課題を解決するための手段】
【０００７】
本発明は洗浄槽の前方に扉材を有するビルトイン型の引き出し式食器洗浄機として具現化される。その食器洗浄機において、洗浄槽は、その前面の左右側縁から前方に向けて伸びる一対の扉材取付部を備えている。扉材の背面には、一対の扉材取付部に対応して一対の取付金具が固定されている。取付金具は、扉材取付部を左右両側から挟み込む、外側挟持片と内側挟持片を備えている。外側挟持片には孔が形成されている。内側挟持片には、外側挟持片の孔に対応する位置にねじ孔が形成されている。扉材取付部には、外側挟持片の孔に対応する位置に前後方向に長い長孔が形成されている。その食器洗浄機では、ねじを外側挟持片の孔から扉材取付部の長孔を貫通して内側挟持片のねじ孔にねじ込むことで、取付金具が洗浄槽に対して固定されている。
【０００８】
上記の食器洗浄機では、扉材の背面に一対の取付金具が固定されており、その一対の取付金具を対応する一対の扉材取付部にねじ止めすることで、扉材を洗浄槽に対して固定する。洗浄槽の前面に設けられた左右一対の扉材取付部を、対応する一対の取付金具の外側挟持片と内側挟持片でそれぞれ挟み込んだ状態で、食器洗浄機の周囲の収納部との現物合わせで、洗浄槽に対する扉材の奥行き方向（前後方向）の位置を調整する。そして、洗浄槽に対する扉材の奥行き方向の位置が決まったら、その位置で取付金具を洗浄槽に対してねじ止めする。扉材取付部には前後方向に長い長孔が形成されているので、周囲の収納部との現物合わせで調整した奥行き方向の位置で、扉材を洗浄槽に対して固定することができる。このねじ止め作業は、位置決めした扉材を作業者が片手で保持したまま、もう一方の手で洗浄槽の側面から行うことができ、作業性がよい。上記の食器洗浄機では、洗浄槽に対する扉材の奥行き方向の取付位置を、容易に調整することができる。
【０００９】
上記の食器洗浄機では、取付金具の外側挟持片が係合爪を有しており、扉材取付部が係合爪と係合する係合孔を有しており、一対の取付金具の係合爪を、対応する一対の扉材取付部の係合孔に係合させることで、扉材が洗浄槽に対して仮止めすることができることが好ましい。
【００１０】
洗浄槽に対する扉材の位置決めおよび固定作業を行う前に、扉材を洗浄槽に対して仮止めすることができると、一連の作業をより容易に行うことが可能となる。上記の食器洗浄機では、仮止めのためだけに別途部材を用意することなく、取付金具の一部と扉材取付部の一部を用いて、洗浄槽に対して扉材を仮止めすることができる。
【００１１】
上記の食器洗浄機では、取付金具が、主金具と補助金具から構成されており、主金具が、外側挟持片と、外側挟持片に対して略垂直に伸びる扉側取付片を備えており、補助金具が、内側挟持片と、内側挟持片に対して略垂直に伸びる扉側取付片を備えており、主金具の扉側取付片には、スリット状の貫通孔が形成されており、補助金具の内側挟持片が主金具の扉側取付片の貫通孔を貫通し、かつ、扉材と主金具の扉側取付片の間に補助金具の扉側取付片を挟み込んだ状態で、主金具と補助金具が扉材に対してねじ止めされていることが好ましい。
【００１２】
上記の食器洗浄機では、加工が容易なシンプルな形状の主金具と補助金具の組み合わせによって、外側挟持片と内側挟持片を有する取付金具を実現することができる。食器洗浄機の製造に係る費用および労力を低減することができる。
【００１３】
上記の食器洗浄機では、主金具の扉側取付片の扉材に対向する面に凹部が形成されており、当該凹部に補助金具の扉側取付片が収容されることが好ましい。
【００１４】
上記の食器洗浄機によれば、補助金具の扉側取付片が主金具の扉材取付片の凹部に収容された状態で、主金具と補助金具が扉材の背面にねじ止めされる。主金具が扉材から浮き上がってしまうことがなく、主金具と補助金具を扉材に強固に固定することができる。
【発明の効果】
【００１５】
本発明によれば、ビルトイン型の引き出し式食器洗浄機をキッチンカウンタ下に据え付ける際に、洗浄槽に対する扉材の奥行き方向の取付位置を容易に調整することができる。
【図面の簡単な説明】
【００１６】
【図１】食器洗浄機１がキッチンカウンタＫの下にビルトインされたシステムキッチンの外観図である。（ａ）は食器洗浄機１の洗浄槽３を引き出した状態を示しており、（ｂ）は食器洗浄機１の洗浄槽３を押し込んだ状態を示している。
【図２】食器洗浄機１の構成を模式的に示す縦断面図である。
【図３】食器洗浄機１の面材６の背面側の外観を示す図である。
【図４】食器洗浄機１の取付金具２１ａの構成を模式的に示す図である。
【図５】食器洗浄機１の面材６、取付金具２１ａおよび扉材取付部９ａの結合部分の構成を示す横断面図である。
【図６】食器洗浄機１の化粧パネル６０の背面側の外観を示す図である。
【発明を実施するための形態】
【００１７】
以下に説明する実施例の主要な特徴を以下に記述する。
（特徴１）  扉材の背面にはねじ孔が形成されており、主金具の扉側取付片には左右方向に長い長孔が形成されており、ねじを当該長孔を貫通して扉材の背面のねじ孔にねじ込むことで、取付金具が扉材に対してねじ止めされている。このような構成とすると、扉材に対する取付金具の左右方向の位置を調整することで、洗浄槽に対する扉材の左右方向の取付位置を調整することができる。
【実施例１】
【００１８】
以下、本発明に係る実施例について、図面を参照しながら説明する。図１に示すように、本実施形態の食器洗浄機１は、キッチンカウンタＫの下にビルトインされ、システムキッチンの一部を構成している。食器洗浄機１の扉２の表面には操作パネル５が設けられており、その下方には面材６が取り付けられている。面材６はキッチンカウンタＫの下に配置された収納部Ｌ、収納部Ｍなどのシステムキッチン構成物の表面材と同一の素材が用いられ、色調、図柄を同一にされている。従って、食器洗浄機１をビルトインしてシステムキッチンを構成したときに、周囲のシステムキッチン構成物との統一感が得られ、美麗な外観のシステムキッチンに構成することができる。
【００１９】
図２に示すように、食器洗浄機１は、前方に開口する箱状に形成された洗浄機本体４内に、上方に開口する洗浄槽３を収容している。洗浄槽３を洗浄機本体４の前方開口部から前後に進退移動させ、前方に引き出すことで、洗浄槽３の上方の開口から食器類を出し入れすることができる。
【００２０】
洗浄機本体４には給水、排水の配管接続及び電源接続がなされている。洗浄槽３には洗浄機本体４から給水弁１１、給水ポンプ１２、給水パイプ１３を通じて給水接続がなされている。食器洗浄機１は、洗浄槽３の底面に配設された回転する洗浄ノズル１４から洗剤を混入させた洗浄水又はすすぎ水を噴射して、食器カゴ１５に収容した食器類１６を洗浄する。この洗浄槽３は、その外側面に取り付けられた第２スライドレール１８を洗浄機本体４の内側面に取り付けられた第１スライドレール１７上でスライドさせることにより、洗浄機本体４の前方開口部から出し入れすることができる。洗浄槽３を洗浄機本体４内に押し入れたときには、洗浄槽３の上方開口部は内蓋１９によって密閉され、洗浄ノズル１４から噴射した水が洗浄槽３の外部に飛散しないようにしている。
【００２１】
洗浄槽３の前方には扉２を支持するためのフランジ部７が形成されている。フランジ部７の上方には操作パネル５が取り付けられ、フランジ部７の下方には面材６が取り付けられる。操作パネル５には、洗浄槽３を洗浄機本体４内に収納した状態を保持するロック機構を解除するロック解除レバーや、食器乾燥時の乾燥空気の排気口、食器洗浄機１の運転を操作する操作入力ボタンなどが設けられている。この操作パネル５の下端に上端を接するようにして面材６が取り付けられる。フランジ部７は、洗浄槽３の前面の上縁から前方に向けて伸びるように形成された操作パネル取付部８と、洗浄槽３の前面の左右側縁から前方に向けて伸びるように形成された一対の扉材取付部９ａ、９ｂを備えている。洗浄槽３と扉２の間には、洗浄槽３の前面外壁と、操作パネル取付部８と、扉材取付部９ａ、９ｂと、面材６の背面によって区画された空間Ｓが形成されている。空間Ｓ内には、操作パネル５のスイッチ類を収容した電装品収容部や、制御回路を構成する回路基板などを収容した制御回路収容部や、洗浄槽３内に乾燥用空気を循環させるエアダクトなどが配設される。
【００２２】
扉２を構成する操作パネル５及び面材６は、洗浄機本体４の前面を完全に覆うことができる幅と高さで形成されている。ビルトインされた食器洗浄機１の扉２を閉じる、即ち洗浄槽３を洗浄機本体４に収納すると、扉２は洗浄機本体４を覆い隠す。図１の（ｂ）に示すように、この状態では、食器洗浄機１の周囲のシステムキッチン構成物の縦のラインおよび横のラインに合わせて扉２が配置され、システムキッチンの統一感のある美観の一部を構成している。
【００２３】
以下では洗浄槽３に対する操作パネル５および面材６の取付方法について説明する。操作パネル５は面材６を取り付ける前に、洗浄槽３に形成されたフランジ部７の上部の操作パネル取付部８に取り付けられる。
【００２４】
図３に示すように、面材６には、その上端を操作パネル５に連結するための一対の上方取付金具２０ａ、２０ｂと、その背面を一対の扉材取付部９ａ、９ｂに固定するための一対の後方取付金具２１ａ、２１ｂが固定されている。上方取付金具２０ａ、２０ｂの上部には係合部２２ａ、２２ｂが形成されている。面材６の上方を洗浄槽３側に傾けた状態で、係合部２２ａ、２２ｂを操作パネル５の下部に形成された係合孔に係合させ、面材６の傾きを戻すことで、面材６の上端が操作パネル５に対して連結される。
【００２５】
後方取付金具２１ａ、２１ｂは、それぞれ主金具２３ａ、２３ｂと補助金具２４ａ、２４ｂから構成されている。後方取付金具２１ａ、２１ｂ、およびそれらに対応する扉材取付部９ａ、９ｂは左右対称に同一の構成を備えているので、以下では後方取付金具２１ａを扉材取付部９ａに固定する場合を例として説明する。以下の説明は、参照符号中の「ａ」を「ｂ」と置き換えることで、後方取付金具２１ｂを扉材取付部９ｂに固定する場合についても適用することができる。
【００２６】
図４に示すように、主金具２３ａは、扉側取付片２５ａと槽側取付片２６ａ（外側挟持片に相当する）を備える、略Ｌ字形状の部材である。扉側取付片２５ａには、補助金具２４ａの扉側取付片３８ａが嵌合する凹部２７ａが形成されている。凹部２７ａには、補助金具２４ａの槽側取付片３９ａ（内側挟持片に相当する）が貫通するスリット状の貫通孔２８ａと、補助金具２４ａの複数の位置合わせ孔４０ａにそれぞれ嵌合する複数の凸部２９ａが形成されている。また、主金具２３ａの扉側取付片２５ａには、複数の長孔３０ａ、３１ａと複数の丸孔３２ａ、３３ａ、３４ａがそれぞれ形成されている。
【００２７】
主金具２３ａの槽側取付片２６ａは、後述する洗浄槽３の扉材取付部９ａに形成された係合孔４５ａに係合する係合爪３５ａと、係合爪３５ａを係合孔４５ａから着脱する際に、作業者が手指を掛けて槽側取付片２６ａを外側に撓ませるためのフック３６ａが形成されている。また、槽側取付片２６ａには、座グリ孔３７ａが形成されている。
【００２８】
補助金具２４ａは、扉側取付片３８ａと槽側取付片３９ａを備える、略Ｌ字形状の部材である。補助金具２４ａは主金具２３ａより一回り小さなサイズに形成されている。補助金具２４ａには、主金具２３ａの複数の凸部２９ａとそれぞれ嵌合する複数の位置合わせ孔４０ａが形成されている。補助金具２４ａの槽側取付片３９ａを主金具２３ａの貫通孔２８ａに差し込み、補助金具２４ａの位置合わせ孔４０ａが主金具２３ａの凸部２９ａと嵌合するように補助金具２４ａの扉側取付片３８ａを主金具２３ａの凹部２７ａに収容することで、補助金具２４ａが主金具２３ａに組み付けられる。補助金具２４ａの扉側取付片３８ａには主金具２３ａの長孔３０ａに対応する位置に、同形状の長孔４１ａが形成されている。また、補助金具２４ａを主金具２３ａに組み付けた際に主金具２３ａの丸孔３２ａ、３３ａを塞がないように、扉側取付片３８ａの上下辺には切欠き４２ａ、４３ａが形成されている。補助金具２４ａの槽側取付片３９ａには、主金具２３ａの座グリ孔３７ａに対向する位置に、ねじ孔４４ａが形成されている。また、補助金具２４ａの槽側取付片３９ａは、先端が内側に向けてわずかに屈曲した形状とされている。
【００２９】
後方取付金具２１ａは、主金具２３ａに補助金具２４ａを組み付けた状態で、面材６の背面に取り付けられる。図５に示すように、面材６の背面には、ねじ４８ａをねじ止めするねじ孔５１ａと、ねじ４９ａをねじ止めするねじ孔５２ａがそれぞれ形成されている。後方取付金具２１ａは、面材６に対して左右方向の位置合わせをした後、ねじ４８ａを長孔３０ａ、４１ａを貫通させてねじ孔５１ａにねじ込み、ねじ４９ａを長孔３１ａを貫通させてねじ孔５２ａにねじ込むことで、面材６に対して固定される。面材６に対する後方取付金具２１ａの左右方向の取付位置を調整することで、洗浄槽３に対する面材６の左右方向の取付位置を調整することができる。本実施例では、ねじ４８ａ、４９ａによって後方取付金具２１ａを面材６に固定した後、さらに丸孔３２ａ、３３ａ、３４ａを介してタッピングねじ５０ａによって、主金具２３ａを面材６にねじ止めする。
【００３０】
図５に示すように、洗浄槽３の前面の側縁から前方に向けて伸びる扉材取付部９ａには、主金具２３ａの係合爪３５ａが係合する係合孔４５ａと、前後方向に長い長孔４６ａが形成されている。洗浄槽３の扉材取付部９ａの前方端部を主金具２３ａの槽側取付片２６ａと補助金具２４ａの槽側取付片３９ａの間に挟み込み、主金具２３ａの係合爪３５ａを扉材取付部９ａの係合孔４５ａに係合することで、面材６が洗浄槽３に仮止めされる。この状態で、食器洗浄機１の周囲のシステムキッチン構成物に合わせて面材６の前後方向位置（すなわち奥行き方向位置）を調整した後、ねじ４７ａを主金具２３ａの座グリ孔３７ａ、扉材取付部９の長孔４６ａを貫通させて、補助金具２４ａのねじ孔４４ａにねじ込む。これによって、面材６が後方取付金具２１ａを介して洗浄槽３に対して固定される。
【００３１】
以上のように、本実施形態の食器洗浄機１では、面材６の背面に一対の後方取付金具２１ａ、２１ｂが固定されており、その一対の後方取付金具２１ａ、２１ｂを対応する一対の扉材取付部９ａ、９ｂにねじ止めすることで、面材６を洗浄槽３に対して固定する。洗浄槽３の前面に設けられた左右一対の扉材取付部９ａ、９ｂを、対応する一対の後方取付金具２１ａ、２１ｂの主金具２３ａ、２３ｂの槽側取付片２６ａ、２６ｂ（外側挟持片に相当する）と補助金具２４ａ、２４ｂの槽側取付片３９ａ、３９ｂ（内側挟持片に相当する）でそれぞれ挟み込んだ状態で、食器洗浄機１の周囲の収納部Ｌ、Ｍとの現物合わせで、洗浄槽３に対する面材６の奥行き方向（前後方向）の位置を調整する。そして、洗浄槽３に対する面材６の奥行き方向の位置が決まったら、その位置で後方取付金具２１ａ、２１ｂを洗浄槽３に対してねじ止めする。扉材取付部９ａ、９ｂには前後方向に長い長孔４６ａ、４６ｂが形成されているので、周囲の収納部Ｌ、Ｍとの現物合わせで調整した奥行き方向の位置で、面材６を洗浄槽３に対して固定することができる。このねじ止め作業は、位置決めした面材６を作業者が片手で保持したまま、もう一方の手で洗浄槽３の側方から行うことができる。本実施形態の食器洗浄機１では、洗浄槽３に対する面材６の奥行き方向の取付位置を、容易に調整することができる。
【００３２】
また本実施形態の食器洗浄機１では、上記のようにキッチンカウンタＫの下に食器洗浄機１を据え付ける際に面材６の取付位置を調整することもできるし、システムキッチンを長年にわたり使用した結果、食器洗浄機１の周囲の収納部Ｌ、Ｍの面材の表面位置と、扉２の面材６の表面位置がずれてしまった場合についても、洗浄槽３に対する面材６の奥行き方向の取付位置を容易に再調整することができる。
【００３３】
本実施形態の食器洗浄機１では、洗浄槽３に対する面材６の位置決めおよび固定作業を行う前に、面材６を洗浄槽３に対して仮止めすることができ、一連の作業を容易に行うことができる。上記の食器洗浄機１では、仮止めのためだけに別途部材を用意することなく、後方取付金具２１ａ、２１ｂに形成された係合爪３５ａ、３５ｂと扉材取付部９ａ、９ｂに形成された係合孔４５ａ、４５ｂを用いて、洗浄槽３に対して面材６を仮止めすることができる。
【００３４】
本実施形態の食器洗浄機１では、加工が容易なシンプルな形状の主金具２３ａ、２３ｂと補助金具２４ａ、２４ｂの組み合わせによって、外側挟持片（主金具２３ａ、２３ｂの槽側取付片２６ａ、２６ｂ）と内側挟持片（補助金具２４ａ、２４ｂの槽側取付片３９ａ、３９ｂ）を有する後方取付金具２１ａ、２１ｂを実現している。食器洗浄機１の製造に係る費用および労力を低減することができる。
【００３５】
本実施形態の食器洗浄機１では、補助金具２４ａ、２４ｂの扉側取付片３８ａ、３８ｂが主金具２３ａ、２３ｂの扉材取付片２５ａ、２５ｂの凹部２７ａ、２７ｂに収容された状態で、主金具２３ａ、２３ｂと補助金具２４ａ、２４ｂが面材６の背面にねじ止めされる。主金具２３ａ、２３ｂが面材６の背面から浮き上がってしまうことがなく、主金具２３ａ、２３ｂと補助金具２４ａ、２４ｂを面材６に強固に固定することができる。
【００３６】
なお上記では扉２として操作パネル５の下方に面材６を取り付ける場合について説明したが、面材６を用いる代わりに化粧パネルを取り付ける構成としてもよい。図６は化粧パネル６０の背面に後方取付金具２１ａ、２１ｂを取り付けた場合を示している。この場合でも、面材６を用いる場合と同様にして、後方取付金具２１ａ、２１ｂを介して化粧パネル６０を洗浄槽３に取り付けることで、洗浄槽３に対する化粧パネル６０の奥行き方向の取付位置を容易に調整することができる。
【００３７】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３８】
１     食器洗浄機
２     扉
３     洗浄槽
４     洗浄機本体
５     操作パネル
６     面材
７     フランジ部
８     操作パネル取付部
９ａ、９ｂ    扉材取付部
１１   給水弁
１２   給水ポンプ
１３   給水パイプ
１４   洗浄ノズル
１５   食器カゴ
１６   食器類
１７   第１スライドレール
１８   第２スライドレール
１９   内蓋
２０ａ、２０ｂ       上方取付金具
２１ａ、２１ｂ       後方取付金具
２２ａ、２２ｂ       係合部
２３ａ、２３ｂ       主金具
２４ａ、２４ｂ       補助金具
２５ａ、２５ｂ       扉側取付片
２６ａ、２６ｂ       槽側取付片
２７ａ、２７ｂ       凹部
２８ａ、２８ｂ       貫通孔
２９ａ、２９ｂ       凸部
３０ａ、３０ｂ、３１ａ、３１ｂ、４１ａ、４１ｂ、４６ａ、４６ｂ 長孔
３２ａ、３２ｂ、３３ａ、３３ｂ、３４ａ、３４ｂ   丸孔
３５ａ、３５ｂ       係合爪
３６ａ、３６ｂ       フック
３７ａ、３７ｂ       座グリ孔
３８ａ、３８ｂ       扉側取付片
３９ａ、３９ｂ       槽側取付片
４０ａ、４０ｂ       位置合わせ孔
４２ａ、４２ｂ、４３ａ、４３ｂ     切欠き
４４ａ、４４ｂ       ねじ孔
４５ａ、４５ｂ       係合孔
４７ａ、４７ｂ、４８ａ、４８ｂ、４９ａ、４９ｂ   ねじ
５０ａ タッピングねじ
５１ａ、５１ｂ、５２ａ、５２ｂ     ねじ孔
６０   化粧パネル
【図１】
0005465111.tif 000002
【図２】
0005465111.tif 000003
【図３】
0005465111.tif 000004
【図４】
0005465111.tif 000005
【図５】
0005465111.tif 000006
【図６】
0005465111.tif 000007